(57)【要約】【課題】  各記録媒体を識別するための識別情報を通常の信号が記録される領域に１回に限り付与可能として、この識別情報を利用して記録媒体上のコンテンツの管理を行う。【解決手段】  ディスク２００のリードイン領域にはディスク識別情報を記録することができる。ディスク識別情報が記録済であるか否かを示すフラグが記録済を示している場合には、新たにディスク識別情報を記録することは禁止される。コンテンツ管理テーブル５２０はディスク識別情報と各コンテンツの属性情報を関連付けて保持する。メニュー生成部１５０はこのコンテンツ管理テーブル５２０に基づいてメニューを表示する。コンテンツを記録しようとする記録先ディスクが装着されていない場合には、記録先ディスクが装着されるまで、そのコンテンツは保留コンテンツ記憶部５４０に保持される。【選択図】      図１
2005108377.tif 000002
【特許請求の範囲】
【請求項１】
装着された記録媒体上の第１の領域から記録済情報を読み出す記録媒体読出し手段と、
識別情報を供給する識別情報供給手段と、
前記記録媒体上の第２の領域が記録済であることを前記記録済情報が示している場合には前記識別情報の前記第２の領域への書込みを禁止し、前記第２の領域が記録済でないことを前記記録済情報が示している場合には前記識別情報を前記第２の領域に書き込むとともに前記第２の領域が記録済であることを示す記録済情報を前記第１の領域に書き込む記録媒体書込み手段と、
前記第２の領域に記録された識別情報とその識別情報が記録された記録媒体における各コンテンツの属性情報とを関連付けた管理情報を保持する管理情報保持手段とを具備し、
前記記録媒体読出し手段は、前記第２の領域が記録済であることを前記記録済情報が示している場合には前記第２の領域から前記識別情報を読み出すとともに前記記録媒体上の第３の領域から前記属性情報を読み出して前記管理情報保持手段における管理情報を更新する
ことを特徴とする記録媒体管理装置。
【請求項２】
前記識別情報供給手段は、当該記録媒体管理装置に固有の装置情報を保持する装置情報保持手段と、当該記録媒体管理装置において一意の連続番号を計数する計数手段とを具備し、
前記識別情報の少なくとも一部は前記装置情報および前記連続番号を含む
ことを特徴とする請求項１記載の記録媒体管理装置。
【請求項３】
前記識別情報供給手段は、任意の文字列を入力する文字列入力手段をさらに具備し、
前記識別情報の少なくとも一部は前記文字列入力手段により入力された文字列を含む
ことを特徴とする請求項１記載の記録媒体管理装置。
【請求項４】
前記記録媒体上の第３の領域は前記属性情報を含むインデックスファイルを保持し、
前記記録媒体読出し手段は、前記インデックスファイルから前記属性情報を読み出して前記管理情報保持手段における管理情報の更新を行う
ことを特徴とする請求項１記載の記録媒体管理装置。
【請求項５】
前記管理情報保持手段に保持される前記管理情報に基づいて前記記録媒体における各コンテンツの前記属性情報を表示するメニューを生成するメニュー生成手段をさらに具備する
ことを特徴とする請求項１記載の記録媒体管理装置。
【請求項６】
任意の文字列を入力する文字列入力手段と、
前記識別情報と前記文字列入力手段により入力された文字列とを関連付けた名称変換情報を保持する名称変換情報保持手段と
をさらに具備し、
記録媒体書込み手段は、前記識別情報を前記第２の領域に書き込む際に前記名称変換情報保持手段における名称変換情報を更新し、
前記メニュー生成手段は、前記名称変換情報によって前記記録媒体の識別情報に関連付けられた文字列を前記属性情報とともに表示する
ことを特徴とする請求項５記載の記録媒体管理装置。
【請求項７】
前記メニューにおいて再生すべきコンテンツを指示する指示入力手段をさらに具備し、
記録媒体読出し手段は、前記指示されたコンテンツを保持する記録媒体が装着されていれば当該コンテンツを読み出す
ことを特徴とする請求項５記載の記録媒体管理装置。
【請求項８】
他の記録媒体管理装置を接続するネットワークとの通信を行うネットワーク接続手段をさらに具備し、
記録媒体読出し手段は、前記指示されたコンテンツを保持する記録媒体が装着されていなければ前記ネットワーク接続手段により前記他の記録媒体管理装置に対して前記記録媒体が装着されているか否かを問い合わせて、当該他の記録媒体管理装置に前記記録媒体が装着されていれば前記指示されたコンテンツの送信を要求する
ことを特徴とする請求項７記載の記録媒体管理装置。
【請求項９】
コンテンツを供給するコンテンツ供給手段と、
記録媒体への書込みが保留されているコンテンツを保持する保留コンテンツ記憶手段と、
前記保留コンテンツの記録先記録媒体の識別情報と前記保留コンテンツの属性情報とを関連付けた保留情報を保持する保留情報保持手段とをさらに具備し、
前記記録媒体書込み手段は、前記コンテンツ供給手段から供給されたコンテンツの記録先記録媒体が装着されていない場合には前記供給されたコンテンツを前記保留コンテンツ記憶手段に保持させるとともに前記保留情報保持手段における前記保留情報を更新する
ことを特徴とする請求項１記載の記録媒体管理装置。
【請求項１０】
前記記録媒体読出し手段は、前記第２の領域から読み出された前記識別情報を含む保留情報を前記保留情報保持手段から検出し、
前記記録媒体書込み手段は、前記検出された保留情報に含まれる属性情報に基づいて前記保留コンテンツ記憶手段に保持される保留コンテンツを前記記録媒体に記録するとともに前記管理情報保持手段における管理情報を更新する
ことを特徴とする請求項９記載の記録媒体管理装置。
【請求項１１】
他の記録媒体管理装置を接続するネットワークとの通信を行うネットワーク接続手段をさらに具備し、
記録媒体読出し手段は、前記ネットワーク接続手段により前記他の記録媒体管理装置に対して前記第２の領域から読み出された前記識別情報を含む保留情報を保持しているか否かを問い合わせて、当該他の記録媒体管理装置に前記保留情報が保持されていれば前記保留情報に関する保留コンテンツの送信を当該他の記録媒体管理装置に要求し、
前記記録媒体書込み手段は、前記他の記録媒体管理装置から送信された前記保留コンテンツを前記記録媒体に記録するとともに前記管理情報保持手段における管理情報を更新する
ことを特徴とする請求項１０記載の記録媒体管理装置。
【請求項１２】
識別情報とその識別情報が記録された記録媒体における各コンテンツの属性情報とを関連付けた管理情報を保持する管理情報保持手段を備える記録媒体管理装置において、
記録媒体上の第１の領域から記録済情報を読み出す手順と、
前記第２の領域が記録済でないことを前記記録済情報が示している場合には識別情報の供給を受ける手順と、
前記供給された識別情報を前記第２の領域に書き込むとともに前記第２の領域が記録済であることを示す記録済情報を前記第１の領域に書き込む手順と、
前記第２の領域が記録済であることを前記記録済情報が示している場合には前記第２の領域から前記識別情報を読み出すとともに前記記録媒体上の第３の領域から前記属性情報を読み出して前記管理情報保持手段における管理情報を更新する手順と
を具備することを特徴とする記録媒体管理方法。
【請求項１３】
識別情報とその識別情報が記録された記録媒体における各コンテンツの属性情報とを関連付けた管理情報を保持する管理情報保持手段と、記録媒体への書込みが保留されているコンテンツを保持する保留コンテンツ記憶手段と、前記保留コンテンツの記録先記録媒体の識別情報と前記保留コンテンツの属性情報とを関連付けた保留情報を保持する保留情報保持手段とを備える記録媒体管理装置において、
記録媒体上の第１の領域から記録済情報を読み出す手順と、
前記第２の領域が記録済でないことを前記記録済情報が示している場合には識別情報の供給を受ける手順と、
前記供給された識別情報を前記第２の領域に書き込むとともに前記第２の領域が記録済であることを示す記録済情報を前記第１の領域に書き込む手順と、
指定された記録媒体へのコンテンツの記録指示を受ける手順と、
前記指定された記録媒体が装着されていない場合に前記記録指示されたコンテンツを前記保留コンテンツ記憶手段に保持させるとともに前記保留情報保持手段における前記保留情報を更新する手順と
を具備することを特徴とする記録媒体管理方法。
【請求項１４】
装着された記録媒体の第２の領域から識別情報を読み出す手順と、
読み出された前記識別情報を含む保留情報を前記保留情報保持手段から検出する手順と、
前記検出された保留情報に含まれる属性情報に基づいて前記保留コンテンツ記憶手段に保持される保留コンテンツを前記記録媒体に記録するとともに前記管理情報保持手段における管理情報を更新する手順と
をさらに具備することを特徴とする請求項１３記載の記録媒体管理方法。
【請求項１５】
装着された記録媒体の第２の領域から識別情報を読み出す手順と、
他の記録媒体管理装置に対して前記第２の領域から読み出された前記識別情報を含む保留情報を保持しているか否かを問い合わせる手順と、
前記他の記録媒体管理装置に前記保留情報が保持されていれば前記保留情報に関する保留コンテンツの送信を前記他の記録媒体管理装置に要求する手順と、
前記他の記録媒体管理装置から送信された前記保留コンテンツを前記装着された記録媒体に記録するとともに前記管理情報保持手段における管理情報を更新する手順と
をさらに具備することを特徴とする請求項１３記載の記録媒体管理方法。
【請求項１６】
識別情報とその識別情報が記録された記録媒体における各コンテンツの属性情報とを関連付けた管理情報を保持する管理情報保持手段を備える記録媒体管理装置において、
記録媒体上の第１の領域から記録済情報を読み出す手順と、
前記第２の領域が記録済でないことを前記記録済情報が示している場合には識別情報の供給を受ける手順と、
前記供給された識別情報を前記第２の領域に書き込むとともに前記第２の領域が記録済であることを示す記録済情報を前記第１の領域に書き込む手順と、
前記第２の領域が記録済であることを前記記録済情報が示している場合には前記第２の領域から前記識別情報を読み出すとともに前記記録媒体上の第３の領域から前記属性情報を読み出して前記管理情報保持手段における管理情報を更新する手順と
をコンピュータに実行させることを特徴とするプログラム。
【請求項１７】
識別情報とその識別情報が記録された記録媒体における各コンテンツの属性情報とを関連付けた管理情報を保持する管理情報保持手段と、記録媒体への書込みが保留されているコンテンツを保持する保留コンテンツ記憶手段と、前記保留コンテンツの記録先記録媒体の識別情報と前記保留コンテンツの属性情報とを関連付けた保留情報を保持する保留情報保持手段とを備える記録媒体管理装置において、
記録媒体上の第１の領域から記録済情報を読み出す手順と、
前記第２の領域が記録済でないことを前記記録済情報が示している場合には識別情報の供給を受ける手順と、
前記供給された識別情報を前記第２の領域に書き込むとともに前記第２の領域が記録済であることを示す記録済情報を前記第１の領域に書き込む手順と、
指定された記録媒体へのコンテンツの記録指示を受ける手順と、
前記指定された記録媒体が装着されていない場合に前記記録指示されたコンテンツを前記保留コンテンツ記憶手段に保持させるとともに前記保留情報保持手段における前記保留情報を更新する手順と
をコンピュータに実行させることを特徴とするプログラム。
【発明の詳細な説明】
【技術分野】
【０００１】
本発明は、記録媒体管理装置および記録媒体管理方法に関し、特に記録媒体に識別情報を付与してその識別情報により記録媒体を管理する記録媒体管理装置、および、記録媒体管理方法ならびに当該方法をコンピュータに実行させるプログラムに関する。
【背景技術】
【０００２】
光ディスクなどの可搬型記録媒体にコンテンツを記録する際、各記録媒体の管理に手間を要することが多い。すなわち、どの記録媒体にどのコンテンツを記録したかを確認するために、手持ちの記録媒体のメニューを利用者が片っ端から調べるという煩雑な作業を引き起こしてきた。このことは、その利用者の手持ちの記録媒体の数が増える程、深刻な問題となってくる。
【０００３】
一方、記録媒体の管理を記録媒体管理装置上で行うためには、各記録媒体に何らかの識別情報を付与して、記録媒体を互いに識別する必要がある。これについては、例えば、ＤＶＤ（Digital Versatile Disk）では、信号が記録される領域のさらに内周において円周方向に沿ってＢＣＡ（Burst Cutting Area）と呼ばれるバーコード状の縞模様が形成されており、このＢＣＡにより各ディスクに固有の識別情報を記録するようになっている（例えば、特許文献１参照。）。
【特許文献１】特開平１０−２２８６４６号公報（図８）
【発明の開示】
【発明が解決しようとする課題】
【０００４】
上述の従来技術では、例えば、ＤＶＤにおけるＢＣＡを利用することにより各ディスクを互いに識別することができた。
【０００５】
しかしながら、このＢＣＡのように通常の信号が記録される領域のさらに内周に識別専用の領域を設けることは、今後記録媒体の小型化・高密度化が進むにつれて各コンテンツのための領域を圧迫することになり、将来的に問題を生じるおそれがある。また、これまでのＢＣＡのような識別情報は、ＣＰＲＭ（Content Protection for Recordable Media）方式などのコンテンツ保護技術のために用いられることを想定したものであり、必ずしも一般利用者の利便性を考慮したものではない。
【０００６】
そこで、本発明は、各記録媒体を識別するための識別情報を通常の信号が記録される領域に１回に限り付与可能として、この識別情報を利用して記録媒体上のコンテンツの管理を行うことを目的とする。
【課題を解決するための手段】
【０００７】
上記課題を解決するために本発明の請求項１記載の記録媒体管理装置は、装着された記録媒体上の第１の領域から記録済情報を読み出す記録媒体読出し手段と、識別情報を供給する識別情報供給手段と、上記記録媒体上の第２の領域が記録済であることを上記記録済情報が示している場合には上記識別情報の上記第２の領域への書込みを禁止し、上記第２の領域が記録済でないことを上記記録済情報が示している場合には上記識別情報を上記第２の領域に書き込むとともに上記第２の領域が記録済であることを示す記録済情報を上記第１の領域に書き込む記録媒体書込み手段と、上記第２の領域に記録された識別情報とその識別情報が記録された記録媒体における各コンテンツの属性情報とを関連付けた管理情報を保持する管理情報保持手段とを具備し、上記記録媒体読出し手段が、上記第２の領域が記録済であることを上記記録済情報が示している場合には上記第２の領域から上記識別情報を読み出すとともに上記記録媒体上の第３の領域から上記属性情報を読み出して上記管理情報保持手段における管理情報を更新するものである。これにより、識別情報を第２の領域に対して１回に限り書き込むことを可能とし、この識別情報と各コンテンツの属性情報とを関連付けるという作用をもたらす。
【０００８】
また、本発明の請求項２記載の記録媒体管理装置は、請求項１記載の記録媒体管理装置において、上記識別情報供給手段が、当該記録媒体管理装置に固有の装置情報を保持する装置情報保持手段と、当該記録媒体管理装置において一意の連続番号を計数する計数手段とを具備し、上記識別情報の少なくとも一部は上記装置情報および上記連続番号を含むというものである。これにより、記録媒体管理装置において各記録媒体に固有の識別情報が付与されるという作用をもたらす。
【０００９】
また、本発明の請求項３記載の記録媒体管理装置は、請求項１記載の記録媒体管理装置において、上記識別情報供給手段が、任意の文字列を入力する文字列入力手段をさらに具備し、上記識別情報の少なくとも一部は上記文字列入力手段により入力された文字列を含むというものである。これにより、コンテンツの内容を連想させるキーワードを識別情報に含ませることを可能とするという作用をもたらす。
【００１０】
また、本発明の請求項４記載の記録媒体管理装置は、請求項１記載の記録媒体管理装置において、上記記録媒体上の第３の領域は上記属性情報を含むインデックスファイルを保持し、上記記録媒体読出し手段が、上記インデックスファイルから上記属性情報を読み出して上記管理情報保持手段における管理情報の更新を行うというものである。これにより、記録媒体上の各コンテンツに関する属性情報を容易に取得させるという作用をもたらす。
【００１１】
また、本発明の請求項５記載の記録媒体管理装置は、請求項１記載の記録媒体管理装置において、上記管理情報保持手段に保持される上記管理情報に基づいて上記記録媒体における各コンテンツの上記属性情報を表示するメニューを生成するメニュー生成手段をさらに具備する。これにより、記録媒体上の各コンテンツに関する情報を容易に把握させるという作用をもたらす。
【００１２】
また、本発明の請求項６記載の記録媒体管理装置は、請求項５記載の記録媒体管理装置において、任意の文字列を入力する文字列入力手段と、上記識別情報と上記文字列入力手段により入力された文字列とを関連付けた名称変換情報を保持する名称変換情報保持手段とをさらに具備し、記録媒体書込み手段が、上記識別情報を上記第２の領域に書き込む際に上記名称変換情報保持手段における名称変換情報を更新し、上記メニュー生成手段が、上記名称変換情報によって上記記録媒体の識別情報に関連付けられた文字列を上記属性情報とともに表示するものである。これにより、識別情報がキーワードを含まない場合であっても記録媒体の名称を付与することを可能とするという作用をもたらす。
【００１３】
また、本発明の請求項７記載の記録媒体管理装置は、請求項５記載の記録媒体管理装置において、上記メニューにおいて再生すべきコンテンツを指示する指示入力手段をさらに具備し、記録媒体読出し手段が、上記指示されたコンテンツを保持する記録媒体が装着されていれば当該コンテンツを読み出すものである。これにより、管理情報保持手段に保持される管理情報に基づいて生成されたメニュー上から再生すべきコンテンツを指示させるという作用をもたらす。
【００１４】
また、本発明の請求項８記載の記録媒体管理装置は、請求項７記載の記録媒体管理装置において、他の記録媒体管理装置を接続するネットワークとの通信を行うネットワーク接続手段をさらに具備し、記録媒体読出し手段が、上記指示されたコンテンツを保持する記録媒体が装着されていなければ上記ネットワーク接続手段により上記他の記録媒体管理装置に対して上記記録媒体が装着されているか否かを問い合わせて、当該他の記録媒体管理装置に上記記録媒体が装着されていれば上記指示されたコンテンツの送信を要求するものである。これにより、必要な記録媒体が装着されていない場合であっても、ネットワーク上に接続される他の記録媒体管理装置からコンテンツを送信させ、このコンテンツを再生可能にするという作用をもたらす。
【００１５】
また、本発明の請求項９記載の記録媒体管理装置は、請求項１記載の記録媒体管理装置において、コンテンツを供給するコンテンツ供給手段と、記録媒体への書込みが保留されているコンテンツを保持する保留コンテンツ記憶手段と、上記保留コンテンツの記録先記録媒体の識別情報と上記保留コンテンツの属性情報とを関連付けた保留情報を保持する保留情報保持手段とをさらに具備し、上記記録媒体書込み手段が、上記コンテンツ供給手段から供給されたコンテンツの記録先記録媒体が装着されていない場合には上記供給されたコンテンツを上記保留コンテンツ記憶手段に保持させるとともに上記保留情報保持手段における上記保留情報を更新するものである。これにより、記録先記録媒体が装着されていない場合であっても、保留コンテンツ記憶手段にコンテンツを一時的に保持させるという作用をもたらす。
【００１６】
また、本発明の請求項１０記載の記録媒体管理装置は、請求項９記載の記録媒体管理装置において、上記記録媒体読出し手段が、上記第２の領域から読み出された上記識別情報を含む保留情報を上記保留情報保持手段から検出し、上記記録媒体書込み手段が、上記検出された保留情報に含まれる属性情報に基づいて上記保留コンテンツ記憶手段に保持される保留コンテンツを上記記録媒体に記録するとともに上記管理情報保持手段における管理情報を更新するものである。これにより、保留コンテンツ記憶手段に保持されていた保留コンテンツを本来の記録先記録媒体に記録させるという作用をもたらす。
【００１７】
また、本発明の請求項１１記載の記録媒体管理装置は、請求項１０記載の記録媒体管理装置において、他の記録媒体管理装置を接続するネットワークとの通信を行うネットワーク接続手段をさらに具備し、記録媒体読出し手段が、上記ネットワーク接続手段により上記他の記録媒体管理装置に対して上記第２の領域から読み出された上記識別情報を含む保留情報を保持しているか否かを問い合わせて、当該他の記録媒体管理装置に上記保留情報が保持されていれば上記保留情報に関する保留コンテンツの送信を当該他の記録媒体管理装置に要求し、上記記録媒体書込み手段が、上記他の記録媒体管理装置から送信された上記保留コンテンツを上記記録媒体に記録するとともに上記管理情報保持手段における管理情報を更新するものである。これにより、保留コンテンツが他の記録媒体管理装置に保持されていた場合、その保留コンテンツを送信させ、本来の記録先記録媒体に記録するという作用をもたらす。
【００１８】
また、本発明の請求項１２記載の記録媒体管理方法は、識別情報とその識別情報が記録された記録媒体における各コンテンツの属性情報とを関連付けた管理情報を保持する管理情報保持手段を備える記録媒体管理装置において、記録媒体上の第１の領域から記録済情報を読み出す手順と、上記第２の領域が記録済でないことを上記記録済情報が示している場合には識別情報の供給を受ける手順と、上記供給された識別情報を上記第２の領域に書き込むとともに上記第２の領域が記録済であることを示す記録済情報を上記第１の領域に書き込む手順と、上記第２の領域が記録済であることを上記記録済情報が示している場合には上記第２の領域から上記識別情報を読み出すとともに上記記録媒体上の第３の領域から上記属性情報を読み出して上記管理情報保持手段における管理情報を更新する手順とを具備する。これにより、識別情報を第２の領域に対して１回に限り書き込むことを可能とし、この識別情報と各コンテンツの属性情報とを関連付けるという作用をもたらす。
【００１９】
また、本発明の請求項１３記載の記録媒体管理方法は、識別情報とその識別情報が記録された記録媒体における各コンテンツの属性情報とを関連付けた管理情報を保持する管理情報保持手段と、記録媒体への書込みが保留されているコンテンツを保持する保留コンテンツ記憶手段と、上記保留コンテンツの記録先記録媒体の識別情報と上記保留コンテンツの属性情報とを関連付けた保留情報を保持する保留情報保持手段とを備える記録媒体管理装置において、記録媒体上の第１の領域から記録済情報を読み出す手順と、上記第２の領域が記録済でないことを上記記録済情報が示している場合には識別情報の供給を受ける手順と、上記供給された識別情報を上記第２の領域に書き込むとともに上記第２の領域が記録済であることを示す記録済情報を上記第１の領域に書き込む手順と、指定された記録媒体へのコンテンツの記録指示を受ける手順と、上記指定された記録媒体が装着されていない場合に上記記録指示されたコンテンツを上記保留コンテンツ記憶手段に保持させるとともに上記保留情報保持手段における上記保留情報を更新する手順とを具備する。これにより、記録先記録媒体が装着されていない場合であっても、保留コンテンツ記憶手段にコンテンツを一時的に保持させるという作用をもたらす。
【００２０】
また、本発明の請求項１４記載の記録媒体管理方法は、請求項１３記載の記録媒体管理方法において、装着された記録媒体の第２の領域から識別情報を読み出す手順と、読み出された上記識別情報を含む保留情報を上記保留情報保持手段から検出する手順と、上記検出された保留情報に含まれる属性情報に基づいて上記保留コンテンツ記憶手段に保持される保留コンテンツを上記記録媒体に記録するとともに上記管理情報保持手段における管理情報を更新する手順とをさらに具備する。これにより、保留コンテンツ記憶手段に保持されていた保留コンテンツを本来の記録先記録媒体に記録させるという作用をもたらす。
【００２１】
また、本発明の請求項１５記載の記録媒体管理方法は、請求項１３記載の記録媒体管理方法において、装着された記録媒体の第２の領域から識別情報を読み出す手順と、他の記録媒体管理装置に対して上記第２の領域から読み出された上記識別情報を含む保留情報を保持しているか否かを問い合わせる手順と、上記他の記録媒体管理装置に上記保留情報が保持されていれば上記保留情報に関する保留コンテンツの送信を上記他の記録媒体管理装置に要求する手順と、上記他の記録媒体管理装置から送信された上記保留コンテンツを上記装着された記録媒体に記録するとともに上記管理情報保持手段における管理情報を更新する手順とをさらに具備する。これにより、保留コンテンツが他の記録媒体管理装置に保持されていた場合、その保留コンテンツを送信させ、本来の記録先記録媒体に記録するという作用をもたらす。
【００２２】
また、本発明の請求項１６記載のプログラムは、識別情報とその識別情報が記録された記録媒体における各コンテンツの属性情報とを関連付けた管理情報を保持する管理情報保持手段を備える記録媒体管理装置において、記録媒体上の第１の領域から記録済情報を読み出す手順と、上記第２の領域が記録済でないことを上記記録済情報が示している場合には識別情報の供給を受ける手順と、上記供給された識別情報を上記第２の領域に書き込むとともに上記第２の領域が記録済であることを示す記録済情報を上記第１の領域に書き込む手順と、上記第２の領域が記録済であることを上記記録済情報が示している場合には上記第２の領域から上記識別情報を読み出すとともに上記記録媒体上の第３の領域から上記属性情報を読み出して上記管理情報保持手段における管理情報を更新する手順とをコンピュータに実行させるものである。これにより、識別情報を第２の領域に対して１回に限り書き込むことを可能とし、この識別情報と各コンテンツの属性情報とを関連付けるという作用をもたらす。
【００２３】
また、本発明の請求項１７記載のプログラムは、識別情報とその識別情報が記録された記録媒体における各コンテンツの属性情報とを関連付けた管理情報を保持する管理情報保持手段と、記録媒体への書込みが保留されているコンテンツを保持する保留コンテンツ記憶手段と、上記保留コンテンツの記録先記録媒体の識別情報と上記保留コンテンツの属性情報とを関連付けた保留情報を保持する保留情報保持手段とを備える記録媒体管理装置において、記録媒体上の第１の領域から記録済情報を読み出す手順と、上記第２の領域が記録済でないことを上記記録済情報が示している場合には識別情報の供給を受ける手順と、上記供給された識別情報を上記第２の領域に書き込むとともに上記第２の領域が記録済であることを示す記録済情報を上記第１の領域に書き込む手順と、指定された記録媒体へのコンテンツの記録指示を受ける手順と、上記指定された記録媒体が装着されていない場合に上記記録指示されたコンテンツを上記保留コンテンツ記憶手段に保持させるとともに上記保留情報保持手段における上記保留情報を更新する手順とをコンピュータに実行させるものである。これにより、記録先記録媒体が装着されていない場合であっても、保留コンテンツ記憶手段にコンテンツを一時的に保持させるという作用をもたらす。
【発明の効果】
【００２４】
本発明によれば、各記録媒体を識別するための識別情報を通常の信号が記録される領域に１回に限り付与可能として、この識別情報を利用して記録媒体上のコンテンツの管理を行うことができるという優れた効果を奏し得る。
【発明を実施するための最良の形態】
【００２５】
次に本発明の実施の形態について図面を参照して詳細に説明する。
【００２６】
図１は、本発明の実施の形態におけるディスク管理装置１００の一構成例を示す図である。このディスク管理装置１００は、ディスク制御部１１０と、ディスク装着検知部１２０と、ディスク読出し部１３０と、ディスク書込み部１４０と、メニュー生成部１５０と、機器情報レジスタ１６０と、付番カウンタ１７０と、入出力制御部１９０と、表示部１９１と、指示入力部１９２と、コンテンツ入力部１９３と、ディスク名変換テーブル５１０と、コンテンツ管理テーブル５２０と、保留コンテンツ管理テーブル５３０と、保留コンテンツ記憶部５４０とを備えている。
【００２７】
ディスク制御部１１０は、記録媒体であるディスク２００に対するアクセスを制御するものであり、（図示しない）サーボ回路によりピックアップを移動させてディスク２００の読み書きを行う。すなわち、ディスク２００から読み出されたデータはディスク読出し部１３０に供給され、また、ディスク書込み部１４０から入力されたデータはディスク２００に書き込まれる。
【００２８】
ディスク装着検知部１２０は、ディスク管理装置１００の（図示しない）ディスク装着口にディスク２００が装着されているか否かを検知する。新たにディスク２００が装着されことを検知すると、ディスク装着検知部１２０はディスク読出し部１３０にその旨を知らせる。これにより、ディスク２００の装着を契機として所定の動作を行うことが可能となる。
【００２９】
ディスク読出し部１３０は、ディスク制御部１１０を介してディスク２００からのデータの読出しを行う。また、このディスク読出し部１３０は、ディスク２００から読み出した内容に応じて、コンテンツ管理テーブル５２０を更新する。さらに、ディスク読出し部１３０は、ディスク２００から読み出した内容に応じて、保留コンテンツ管理テーブル５３０を検索する。
【００３０】
ディスク書込み部１４０は、ディスク制御部１１０を介してディスク２００へのデータの書込みを行うとともにコンテンツ管理テーブル５２０を更新する。また、このディスク書込み部１４０は、ディスク名変換テーブル５１０の更新を行う。さらに、ディスク書込み部１４０は、書込み先のディスク２００が装着されていない場合にデータを保留コンテンツ記憶部５４０に保持させるとともに保留コンテンツ管理テーブル５３０を更新する。
【００３１】
メニュー生成部１５０は、コンテンツ管理テーブル５２０を参照して、ディスクにおける各コンテンツに関する情報を表示するメニューを生成する。この際、必要に応じてディスク名変換テーブル５１０が参照される。
【００３２】
機器情報レジスタ１６０は、ディスク管理装置１００に関する情報を保持するレジスタであり、例えば、メーカ名、機器コード、および、製造番号などを保持する。また、付番カウンタ１７０は、ディスク管理装置１００における連続番号を生成するものである。これら機器情報レジスタ１６０および付番カウンタ１７０は、ディスクに付与するディスク識別情報を生成するために用いられる。
【００３３】
入出力制御部１９０は、表示部１９１、指示入力部１９２、および、コンテンツ入力部１９３と、ディスク管理装置１００の内部との間のインターフェースの役割を有するものである。表示部１９１は、テキスト、静止画や動画像などを表示するディスプレイであり、例えば、ＬＣＤ（Liquid Crystal Display）などが用いられる。指示入力部１９２は、利用者からの入力指示に用いられるものであり、例えば、キーボードやボタンなどが用いられる。コンテンツ入力部１９３は、ディスク２００に記録すべきコンテンツをディスク管理装置１００の外部から入力するものである。
【００３４】
ディスク名変換テーブル５１０は、利用者により付与されたディスク名とディスク識別情報とを変換するためのテーブルである。また、コンテンツ管理テーブル５２０は、ディスク識別情報と各コンテンツに関する情報とを関連付けるテーブルである。これらディスク名変換テーブル５１０およびコンテンツ管理テーブル５２０は、例えば、不揮発性メモリなどにより実現することができる。
【００３５】
保留コンテンツ記憶部５４０は、書込み先のディスク２００が装着されていない場合に一時的にコンテンツを保持しておくためのものであり、例えば、ハードディスクや不揮発性メモリなどにより実現することができる。保留コンテンツ管理テーブル５３０は、保留コンテンツ記憶部５４０に保持されているコンテンツに関する情報と書込み先のディスク識別情報とを関連付けるテーブルである。この保留コンテンツ管理テーブル５３０は、例えば、不揮発性メモリなどにより実現することができる。
【００３６】
図２は、本発明の実施の形態におけるディスク２００のデータ構造の一例を示す図である。ディスク２００の記録領域は、内周側からリードイン領域２１０、データ領域２２０、および、リードアウト領域２３０の順番に並んでいる。
【００３７】
リードイン領域２１０は、欠陥管理領域（ＤＭＡ：Defect Management Area）２１１と、識別情報領域２１２と、電力制御用領域（ＯＰＣ：Optimum Power Control）２１９とを備えている。欠陥管理領域２１１は、ディスク上の欠陥領域に対する交替領域を管理するためのデータ構造を記録する領域である。識別情報領域２１２は、ディスクの識別情報を記録する領域である。電力制御用領域２１９は、記録再生時の最適電力調整を行うための試し書きに使用される領域である。同一製造業者により供給されるディスクであってもその特性は微妙に異なる可能性があるが、この電力制御用領域２１９に試し書きを行うことによりディスク毎に最適な電力を微調整することができる。
【００３８】
データ領域２２０は、ユーザデータを記録するユーザデータ領域２２１を備える。ユーザデータ領域２２１には、各コンテンツの他、後述するインデックスファイルなども記録される。
【００３９】
リードアウト領域２３０は、ピックアップの位置がディスクの外周からはみ出さないように設けられた領域である。このリードアウト領域２３０を利用して、欠陥管理領域２１１や識別情報領域２１２のバックアップとして欠陥管理領域２３１や識別情報領域２３２を保持することもできるようになっている。
【００４０】
識別情報領域２１２は、記録済フラグ２１３およびディスク識別情報２１４を備える。記録済フラグ２１３はディスク識別情報２１４に有効な値が記録されているか否かを示すものであり、この記録済フラグ２１３が「記録済」を示す場合にはディスク識別情報２１４に新たな記録を行うことが禁止される。ディスク識別情報２１４は、各ディスクに固有の識別情報を記録するための領域である。このディスク識別情報２１４は、ディスク製造時に記録されてもよく、また、利用の際に設定されたディスク識別情報が記録されてもよい。このディスク識別情報２１４に有効な値が記録された際には上述の記録済フラグ２１３が「記録済」に設定されるため、ディスク識別情報２１４には１回に限りディスク識別情報が記録されることになる。
【００４１】
図３は、本発明の実施の形態におけるディスク識別情報２１４の構成例を示す図である。図３（ａ）の構成例は、メーカ名４１１と、機種コード４１２と、製造番号４１３と、機器内カウント値４１５とを備える。メーカ名４１１は、製造業者の名称である。機種コード４１２は、ディスク識別情報２１４の機種毎に付与された機器としての種別を示すコードである。製造番号４１３は、各機器に付与された固有の番号であり、同一機種において製造番号４１３は互いに異なるように付与される。機器内カウント値４１５は、各機器において発生される一連の番号である。
【００４２】
これらのうち、メーカ名４１１、機種コード４１２、および、製造番号４１３は、機器情報レジスタ１６０に保持することができる。また、機器内カウント値４１５は、付番カウンタ１７０において順次計数することにより発生することができる。すなわち、この図３（ａ）の構成例の場合は、ディスク識別情報をディスク管理装置１００内で自動的に生成することができる。
【００４３】
一方、図３（ｂ）の構成例においては、ディスク識別情報はディスク名４２４のみにより構成されている。このディスク名４２４は、指示入力部１９２により入力された任意の文字列である。実際には、この文字列はアスキーコード等の所定の文字コードとして記録される。この図３（ｂ）の構成例によれば、ディスク識別情報をメニュー等に表示する際に、元の文字列に変換して表示することができ、利用者による視認が容易になるという利点がある。但し、この図３（ｂ）の構成例のように、ディスク識別情報の全てのフィールドを利用者に公開してしまうと、異なるディスクに同一のディスク識別情報が付与されてしまうおそれがあり、適切な識別ができなくなるという問題がある。
【００４４】
そこで、図３（ｃ）の構成例では、図３（ａ）および（ｂ）の組合せにより、メーカ名４３１と、機種コード４３２と、製造番号４３３と、ディスク名４３４と、機器内カウント値４３５とを備える。この図３（ｃ）の構成例のように、ディスク識別情報の一部に任意の文字列を記録できるようにすることにより、ディスクの識別能力を担保しながら、利用者による視認を容易にすることができる。
【００４５】
図４は、本発明の実施の形態におけるディスク名変換テーブル５１０の構成例を示す図である。このディスク名変換テーブル５１０は、ディスク識別情報５１１とディスク名５１２とを関連付けるディスク名変換情報を保持するものであり、図３（ａ）の構成例のようにディスク識別情報が利用者によって意味のない数字の羅列として把握されるような場合において、視認性を高めるために設けられる。
【００４６】
例えば、図の例のようにディスク識別情報５１１が「３９２０３９４０４０９」といった数字の羅列である場合に、これに代わってディスク名５１２として「野球」という文字列を付与する。これにより、このディスクに関する情報をメニューに表示する際には、本来のディスク識別情報の代わりに、視認性に優れたディスク名を利用することができるようになる。
【００４７】
なお、図３（ｂ）の構成例においては、異なるディスクに同一のディスク識別情報が付与されることを回避するために、ディスク名変換テーブル５１０のディスク識別情報５１１の部分を利用することができる。すなわち、指示入力部１９２から新たなディスク識別情報が入力される度にこのディスク識別情報５１１を検索して、一致するディスク識別情報が検出されない場合にのみディスク識別情報としての利用を認めるようにすることができる。
【００４８】
図５は、本発明の実施の形態におけるインデックスファイル３１０の構成例を示す図である。上述のように、ユーザデータ領域２２１には、各コンテンツの他に、それらコンテンツに関する情報をまとめたインデックスファイル３１０が記録される。このインデックスファイル３１０には、そのディスクに記録されている各コンテンツについて、例えば、題名３１３、記録日時３１４、サムネイル３１５、および、コンテンツポインタ３１６といった情報が保持される。
【００４９】
題名３１３としては、任意の文字列を使用することができるが、例えば、記録時や記録後に利用者によって入力されるようにしてもよく、また、記録時に自動的に日時データが付与されるようにしてもよい。この日時データは記録日時３１４にも利用することができる。また、ＥＰＧ（Electronic Program Guide）等を利用して自動的に番組名が付与されるようにしてもよい。
【００５０】
サムネイル３１５は、そのコンテンツの代表画像であり、例えば、ＭＰＥＧ圧縮されたコンテンツであれば、その最初のＩピクチャを縮小してサムネイルとして利用することができる。なお、このサムネイル３１５はサムネイルをそのまま保持してもよいが、サムネイルの実体を別ファイルに記録しておいて、サムネイル３１５によりその位置を示すように実現してもよい。
【００５１】
コンテンツポインタ３１６は、コンテンツの記録位置を指し示すポインタであり、このコンテンツポインタ３１６を辿ることによりコンテンツの実体にアクセスすることができる。
【００５２】
このインデックスファイル３１０は、ディスク上に記録されたコンテンツに関する情報をまとめたものであり、処理の高速化に有用である。すなわち、ディスク管理装置１００に対して新たにディスクが装着された際に、そのディスクの内容を逐一調べることなく、そのディスク上に記録されたコンテンツに関する情報を即座に取得することができるという利点がある。
【００５３】
図６は、本発明の実施の形態におけるコンテンツ管理テーブル５２０の構成例を示す図である。このコンテンツ管理テーブル５２０は、ディスク識別情報５２１に対応して各コンテンツの属性情報５２２を保持する。この属性情報５２２としては、例えば、題名５２３、記録日時５２４、および、サムネイル５２５などが保持される。これら題名５２３、記録日時５２４、および、サムネイル５２５は、上述のインデックスファイル３１０における題名３１３、記録日時３１４、および、サムネイル３１５にそれぞれ対応するものである。
【００５４】
これらの属性情報５２２は、次の２つのタイミングによりコンテンツ管理テーブル５２０に記録される。１つ目としては、ディスクが装着されたことをディスク装着検知部１２０が検知した際に、ディスク読出し部１３０がディスクからディスク識別情報を読み出し、さらに各コンテンツの属性情報を例えばインデックスファイル３１０などから読み出す。そして、コンテンツ管理テーブル５２０に該当するコンテンツが記録されていなければ、そのディスク識別情報と属性情報とを関連付けた管理情報をコンテンツ管理テーブル５２０に追加する。２つ目としては、ディスク書込み部１４０がディスクに新たなコンテンツを記録した際に、記録先ディスクのディスク識別情報とそのコンテンツの属性情報とを関連付けた管理情報をコンテンツ管理テーブル５２０に追加する。これにより、コンテンツ管理テーブル５２０には、各ディスクに記録されているコンテンツに関する情報が反映される。
【００５５】
図７は、本発明の実施の形態におけるメニュー生成部１５０によるメニュー表示の一例を示す図である。このメニュー表示は、指示入力部１９２からの指示に基づいて表示部１９１に表示されるものであり、各コンテンツに関して、ディスク名８１１と、題名８１２と、記録日時８１３と、サムネイル８１４とが表示されている。ディスク名８１１は、ディスク識別情報をそのまま表示してもよく、また、ディスク名変換テーブル５１０により変換されたディスク名を表示してもよい。題名８１２、記録日時８１３、および、サムネイル８１４は、コンテンツ管理テーブル５２０の題名５２３、記録日時５２４、および、サムネイル５２５に基づいて表示される。
【００５６】
このメニュー表示は、表示されるコンテンツの数によって複数ページにまたがる場合があり、前ページボタン８１８や次ページボタン８１９を押下することにより所望のページを表示することができる。各コンテンツの表示順序は各項目によりソートすることが可能であり、ディスク名８１１、題名８１２、または、記録日時８１３の名称欄を指示することにより、それぞれディスク名順、題名順、または、記録日時順にソートされる。また、ディスク名８１１に関して所望のディスクを少なくとも一つディスク指定欄８１５に指定して絞込みボタン８１７を押下することにより、条件を絞った表示をすることができる。さらに、記録日時８１３に関して所望の期間を期間指定欄８１６に指定して絞込みボタン８１７を押下することにより、条件を絞った表示をすることもできる。この図７の例ではディスク毎に記録日時順にソートされているが、ここで期間指定欄８１６に「2003/08/03−2003/08/22」を指定した場合、ディスク名「旅行」における題名「2003/10/12」のコンテンツはこのメニューに表示されなくなる。
【００５７】
このメニュー表示において、選択ポインタ８１０によって所望のコンテンツを選択することにより、そのコンテンツの再生を指示することができる。図のようにディスク「野球」が選択された場合、そのディスク「野球」がディスク管理装置１００に装着されている場合には題名「優勝記念版」のコンテンツが再生されるが、装着されていない場合にはコンテンツは再生されず、もしくは、ディスク「野球」を装着するように促す表示がなされる。
【００５８】
図８は、本発明の実施の形態における保留コンテンツ管理テーブル５３０の構成例を示す図である。上述のように、コンテンツの記録先のディスク２００が装着されていない場合には、そのコンテンツは一時的に保留コンテンツ記憶部５４０に保持される。この保留コンテンツ記憶部５４０に保持されているコンテンツに関する情報を保持するのが保留コンテンツ管理テーブル５３０である。この保留コンテンツ管理テーブル５３０は、コンテンツの書込み先のディスク識別情報５３１に対応して各コンテンツの属性情報５３２と格納先に関するコンテンツ格納情報５３６とを保持する。
【００５９】
属性情報５３２としては、例えば、題名５３３、記録日時５３４、および、サムネイル５３５などが保持される。これら題名５３３、記録日時５３４、および、サムネイル５３５は、上述のインデックスファイル３１０における題名３１３、記録日時３１４、および、サムネイル３１５に対応するものである。また、コンテンツ格納情報５３６は、保留コンテンツ記憶部５４０における格納位置を示す。
【００６０】
この保留コンテンツ管理テーブル５３０には、ディスク書込み部１４０が保留コンテンツ記憶部５４０に保留コンテンツを保持する際に、記録先ディスクのディスク識別情報とその保留コンテンツの属性情報およびコンテンツ格納情報とを関連付けた保留情報が追加される。記録先ディスクの指定は次の図９のような表示により促される。
【００６１】
図９は、本発明の実施の形態における記録先ディスクの指定を促す画面の表示例を示す図である。利用者は、あるコンテンツを記録しようとする際に記録先のディスクが手元にない、もしくは、見当たらない場合、とりあえず一時的に保留コンテンツ記憶部５４０にコンテンツを記録しておいて、後日記録先ディスクが利用可能となった時点で保留コンテンツ記憶部５４０から記録先ディスクに記録する。この図９の例では、題名「散歩Ａ」というコンテンツを保留コンテンツ記憶部５４０としてのハードディスクに記録した際に、記録先ディスクを指定することを促す表示８２１がされている。なお、この例では、コンテンツ保留コンテンツ記憶部５４０に記録した後で記録先ディスクを指定しているが、先に記録先ディスクを指定した上でコンテンツを保留コンテンツ記憶部５４０に記録するようにしてもよい。
【００６２】
利用者は、ディスク名の一覧８２２の中から選択ポインタ８１７によって所望のディスクを選択することにより、記録先ディスクを指定することができる。また、保留コンテンツ記憶部５４０としてのハードディスクに記録したコンテンツを何れのディスクにも記録せずに破棄する場合には、その旨を示すボタン８２３を押下することにより保留コンテンツを破棄することができる。
【００６３】
図１０は、本発明の実施の形態における保留コンテンツのディスクへの記録を確認する画面の表示例を示す図である。この例では、図９の表示例で記録先ディスクとしてディスク「０７２８」が指定された場合において、題名「散歩Ａ」という保留コンテンツをディスク「０７２８」に記録することの可否を確認する表示８３１がされている。また、保留コンテンツの内容を把握できるように、サムネイル８３２が表示されている。
【００６４】
この保留コンテンツの記録確認表示はディスクが装着された際に表示されるものである。利用者は、直ちに記録を実行するボタン８３７、後ほど記録を実行するボタン８３８または記録を拒否するボタン８３９の何れかを選択ポインタ８１７によって選択することにより、保留コンテンツをディスク「０７２８」に記録するか否かを指示することができる。
【００６５】
ここで、ボタン８３７が選択されれば直ちに記録が実行されるが、利用者としてはそれを望まないかもしれない。すなわち、装着したディスクについて記録再生を速やかに開始することを希望していて、保留コンテンツの記録は後回しにしたいかもしれない。また、バッテリー駆動の携帯型ディスク管理装置においては、電力消費を避けるためにバッテリ駆動状態における保留コンテンツの記録は望まないかもしれない。そのような場合は、ボタン８３８を選択することにより保留コンテンツの記録の実行を遅らせることが可能である。ここで、保留コンテンツの記録の開始タイミングとしては、例えば、上述のＥＰＧを利用する場合には番組予約の入っていない時間帯を選択でき、また、携帯型ディスク管理装置の場合にはバッテリー充電の際に記録を開始することが考えられる。なお、携帯型ディスク管理装置において、利用者が直ちに記録を実行するボタン８３７を選択した場合には、ＡＣアダプターの接続を促すことが望ましい。
【００６６】
次に本発明の実施の形態におけるディスク管理装置１００の動作について図面を参照して説明する。
【００６７】
図１１は、本発明の実施の形態におけるディスク識別情報の付与手順の一例を示す図である。まず、装着されたディスク２００から記録済フラグ２１３が読み出されて、その記録済フラグ２１３によりディスク識別情報が記録済である旨が示されている場合には（ステップＳ９０１）、「装着されているディスクにはディスク識別情報が既に記録済であり、ディスク識別情報を新たに記録することはできない」旨が表示される（ステップＳ９０９）。
【００６８】
一方、ステップＳ９０１において、記録済フラグ２１３によりディスク識別情報が記録済でない旨が示されている場合には、ディスク識別情報の入力を促す表示が表示部１９１になされる（ステップＳ９０２）。そして、指示入力部１９２によりディスク識別情報の入力がなされると（ステップＳ９０３）、そのディスク識別情報がディスク２００におけるディスク識別情報２１４に記録される（ステップＳ９０４）。その後、記録済フラグ２１３にディスク識別情報が記録済である旨が記録される（ステップＳ９０５）。
【００６９】
ここでは、ディスク識別情報の形式として図３（ｂ）または（ｃ）を想定して、ステップＳ９０２においてディスク識別情報の入力を促しているが、図３（ａ）を想定した場合にはディスク識別情報の入力は不要となる。
【００７０】
なお、この図１１の手順は、例えば、指示入力部１９２によりディスク識別情報の付与が指示された場合に実行される。また、ディスク装着検知部１２０によって新たなディスクの装着が検知された際にこの図１１の手順が実行されるようにしてもよいが、その場合にはステップＳ９０１でディスク識別情報が記録済であると判断されたときにはステップＳ９０９の記録済表示は特に行わなくてもよい。
【００７１】
図１２は、本発明の実施の形態におけるコンテンツ再生指示に対する処理手順の一例を示す図である。まず、指示入力部１９２によりコンテンツを指定した再生指示がなされると（ステップＳ９１１）、コンテンツ管理テーブル５２０が検索され、ディスク識別情報５２１により識別されるディスクが装着されているか否かが判断される（ステップＳ９１２）。
【００７２】
そして、ステップＳ９１２において、指定されたコンテンツを記録するディスクが装着されていると判断されると、その指定されたコンテンツがディスクから読み出されて再生される（ステップＳ９１９）。一方、ステップＳ９１２において、指定されたコンテンツを記録するディスクが装着されていないと判断されると、目的のディスクが装着されていない旨の表示がなされる（ステップＳ９１３）。
【００７３】
なお、この図１２の手順は、例えば、図７のようなメニュー表示に対して指示入力部１９２により再生指示が入力された場合に実行される。
【００７４】
図１３は、本発明の実施の形態におけるコンテンツ記録指示に対する処理手順の一例を示す図である。まず、指示入力部１９２によりコンテンツの記録指示がなされると（ステップＳ９２１）、ディスク管理装置１００にディスクが装着されているか否かが判断される（ステップＳ９２２）。
【００７５】
そして、ステップＳ９２２において、ディスクが装着されていると判断された場合には、コンテンツ入力部１９３から入力されたコンテンツがディスクに記録される（ステップＳ９２６）。そして、このコンテンツに関する属性情報は、属性情報５２２としてディスク識別情報５２１とともにコンテンツ管理テーブル５２０に記録される（ステップＳ９２７）。
【００７６】
一方、ステップＳ９２２において、ディスクが装着されていないと判断された場合には、コンテンツ入力部１９３から入力されたコンテンツは保留コンテンツ記憶部５４０に記録される（ステップＳ９２３）。そして、記録先ディスクのディスク識別情報の入力を促す図９のような表示が表示部１９１になされる（ステップＳ９２４）。なお、このディスク識別情報の入力はコンテンツの記録に先立って行われてもよい。このようにして入力されたディスク識別情報は、ディスク識別情報５３１として保留コンテンツの属性情報５３２およびコンテンツ格納情報５３６とともに保留コンテンツ管理テーブル５３０に記録される（ステップＳ９２５）。
【００７７】
図１４は、本発明の実施の形態における保留コンテンツの記録手順の一例を示す図である。まず、ディスク装着検知部１２０によって新たなディスクの装着が検知されると、そのディスク２００からディスク識別情報２１４が読み出され、そのディスク識別情報２１４に基づいて保留コンテンツ管理テーブル５３０が検索される。すなわち、ディスク識別情報２１４により識別されるディスクを記録先ディスクとする保留コンテンツが保留コンテンツ記憶部５４０に記憶されているか否かが判断される（ステップＳ９３０）。そして、保留コンテンツが記憶されていると判断された場合には、記録先ディスクへの記録を確認する図１０のような表示が表示部１９１になされる（ステップＳ９３４）。
【００７８】
そして、保留コンテンツを記録先ディスクに直ちに記録する旨の確認がなされると（ステップＳ９３５）、保留コンテンツ記憶部５４０から保留コンテンツが読み出されて記録先ディスクに記録される（ステップＳ９３６）。また、この記録されたコンテンツに関する属性情報は、属性情報５２２としてディスク識別情報５２１とともにコンテンツ管理テーブル５２０に記録される（ステップＳ９３７）。
【００７９】
また、記録先ディスクへの記録が完了した場合、または、ディスクへの記録をせずにコンテンツを破棄することが確認された場合（ステップＳ９３５）には、保留コンテンツ管理テーブル５３０から該当する保留コンテンツに関する保留情報が削除される（ステップＳ９３９）。
【００８０】
なお、ステップＳ９３５において、後で記録する旨の確認がなされた場合には、これらステップＳ９３６乃至９３９の処理は保留され、所定のタイミングで実行される。このタイミングとしては上述のように、例えば、ＥＰＧを利用する場合には番組予約の入っていない時間帯を選択でき、また、携帯型ディスク管理装置の場合にはバッテリー充電の際に記録を開始することが考えられる。
【００８１】
このように、本発明の実施の形態によれば、ディスク２００のリードイン領域２１０にディスク識別情報２１４を記録できるようにするとともに、ディスク識別情報２１４が既に記録されているか否かを示す記録済フラグ２１３を記録することにより、ディスク識別情報を１回に限り付与することができる。そして、このディスク識別情報と各コンテンツの属性情報とを関連付けてコンテンツ管理テーブル５２０に保持することにより、各ディスク上のコンテンツの管理が容易になる。
【００８２】
次に本発明の実施の形態の変形例について図面を参照して説明する。
【００８３】
図１５は、本発明の実施の形態におけるディスク管理装置１００の他の構成例を示す図である。このディスク管理装置１００には、図１の構成例と比べて、ネットワーク接続部１８０が付け加えられている。このネットワーク接続部１８０はディスク管理装置１００とネットワーク８００を接続するものであり、このネットワーク８００に同様に接続する他のディスク管理装置との間でデータのやりとりを行うことを可能とする。
【００８４】
この構成例では、コンテンツを指定した再生指示がなされた際、その指定されたコンテンツを記録するディスクが装着されていない場合には、ディスク読出し部１３０は、ネットワーク８００上の他のディスク管理装置に問い合わせて、そのディスクを装着しているディスク管理装置があればコンテンツを送信するよう要求する。また、新たにディスクを装着した際にそのディスク管理装置においてそのディスクに対する保留コンテンツが存在しない場合には、ディスク読出し部１３０は、ネットワーク８００上の他のディスク管理装置に問い合わせて、他のディスク管理装置に保留コンテンツが存在すればコンテンツを送信するよう要求する。
【００８５】
図１６は、本発明の実施の形態におけるディスク管理装置１００の他の構成例によるシステム構成例を示す図である。このシステム構成例では、ネットワーク８００上にディスク管理装置１０１乃至１０３が接続されている。ディスク管理装置１０１のコンテンツ管理テーブル５２０には、ディスク識別情報「１０１２」のコンテンツの属性情報として題名「結婚式」が保持されている。また、ディスク管理装置１０３の保留コンテンツ管理テーブル５３０には、ディスク識別情報「１０１２」を記録先とする保留コンテンツの属性情報として題名「おめでとう」が保持されている。ディスク管理装置１０１にはディスク識別情報「０７２８」のディスクが装着されており、ディスク管理装置１０３にはディスク識別情報「１２１２」のディスクが装着されている。
【００８６】
ここで、ディスク管理装置１０２に新たにディスク識別情報「１０１２」のディスクが装着されると、そのディスク識別情報「１０１２」は他のディスク管理装置に通知される。すると、ディスク管理装置１０３は、保留コンテンツ管理テーブル５３０にディスク識別情報「１０１２」を記録先とする保留コンテンツの属性情報を検出するため、この保留コンテンツの存在をディスク管理装置１０２に伝える。これにより、ディスク管理装置１０２には、「ディスク管理装置１０３に現在挿入されているディスクに記録すべきコンテンツ「おめでとう」が記録されています。転送してディスクに記録しますか？」といった趣旨の表示が行われる。この表示に対して利用者が記録を指示すると、ディスク管理装置１０２は、その保留コンテンツの送信要求をディスク管理装置１０３に送信し、保留コンテンツを受信するとその保留コンテンツをディスク識別情報「１２１２」のディスクに記録する。
【００８７】
また、ディスク識別情報「１２１２」のディスクがディスク管理装置１０２に装着されている状態で、ディスク管理装置１０１において題名「結婚式」のコンテンツの再生指示がなされると、そのコンテンツのディスク識別情報「１０１２」は他のディスク管理装置に通知される。すると、ディスク管理装置１０２は、装着されているディスクからディスク識別情報「１０１２」を検出するため、このコンテンツの存在をディスク管理装置１０１に伝える。これにより、ディスク管理装置１０１には、「コンテンツ「結婚式」を含むディスクは、ディスク管理装置１０２に装着されています。」といった趣旨の表示が行われる。すなわち、利用者はディスクの所在確認を容易に行うことができる。
【００８８】
さらに、所在確認のとれた題名「結婚式」のコンテンツについて、利用者が再生を指示すると、ディスク管理装置１０１はコンテンツの送信要求をディスク管理装置１０２に対して送信する。ディスク管理装置１０１はそのコンテンツをディスク管理装置１０２から受信して再生を行う。
【００８９】
次に本発明の実施の形態におけるディスク管理装置１００の変形例の動作について図面を参照して説明する。
【００９０】
図１７は、本発明の実施の形態の変形例におけるコンテンツ再生指示に対する処理手順の一例を示す図である。まず、指示入力部１９２によりコンテンツを指定した再生指示がなされると（ステップＳ９４１）、コンテンツ管理テーブル５２０が検索され、ディスク識別情報５２１により識別されるディスクが装着されているか否かが判断される（ステップＳ９４２）。そして、ステップＳ９４２において、指定されたコンテンツを記録するディスクが装着されていると判断されると、その指定されたコンテンツがディスクから読み出されて再生される（ステップＳ９４９）。
【００９１】
一方、ステップＳ９４２において、指定されたコンテンツを記録しているディスクが装着されていないと判断されると、目的のディスクが装着されていない旨の表示がなされる（ステップＳ９４３）。この表示に対して、他のディスク管理装置におけるディスクの所在確認が指示されると（ステップＳ９４４）、指定されたコンテンツを記録しているディスクのディスク識別情報がネットワーク接続部１８０を介して他のディスク管理装置に通知される（ステップＳ９４５）。
【００９２】
そして、目的とするディスクが他のディスク管理装置に装着されていれば（ステップＳ９４６）、当該他のディスク管理装置に対してコンテンツの送信要求が送信される（ステップＳ９４７）。これにより、コンテンツが受信されると（ステップＳ９４８）、その指定されたコンテンツが再生される（ステップＳ９４９）。
【００９３】
図１８は、本発明の実施の形態の変形例におけるコンテンツ記録指示に対する処理手順の一例を示す図である。まず、指示入力部１９２によりコンテンツの記録指示がなされると（ステップＳ９５１）、ディスク管理装置１００にディスクが装着されているか否かが判断される（ステップＳ９５２）。
【００９４】
そして、ステップＳ９５２において、ディスクが装着されていると判断された場合には、コンテンツ入力部１９３から入力されたコンテンツがディスクに記録される（ステップＳ９５６）。そして、このコンテンツに関する属性情報は、属性情報５２２としてディスク識別情報５２１とともにコンテンツ管理テーブル５２０に記録される（ステップＳ９５７）。さらに、このコンテンツ管理テーブル５２０に記録された内容は、ネットワーク接続部１８０を介して他のディスク管理装置に通知される（ステップＳ９５８）。これにより、ネットワーク上のディスク管理装置におけるコンテンツ管理テーブル５２０の内容が互いに一致するよう制御される。
【００９５】
一方、ステップＳ９５２において、ディスクが装着されていないと判断された場合には、コンテンツ入力部１９３から入力されたコンテンツは保留コンテンツ記憶部５４０に記録される（ステップＳ９５３）。この保留コンテンツ記憶部５４０は、コンテンツが入力されたディスク管理装置１００内の保留コンテンツ記憶部５４０であってもよく、またはネットワーク８００に接続する他の装置における保留コンテンツ記憶部５４０であってもよい。後者の場合、当該他の装置は保留コンテンツを記憶するサーバとして機能する。そして、これと前後して記録先ディスクのディスク識別情報の入力を促す表示が表示部１９１になされる（ステップＳ９５４）。このようにして入力されたディスク識別情報は、ディスク識別情報５３１として保留コンテンツの属性情報５３２およびコンテンツ格納情報５３６とともに、保留コンテンツが記録された保留コンテンツ記憶部５４０と同じ装置における保留コンテンツ管理テーブル５３０に記録される（ステップＳ９５５）。
【００９６】
図１９は、本発明の実施の形態の変形例における保留コンテンツの記録手順の一例を示す図である。まず、ディスク装着検知部１２０によって新たなディスク２００の装着が検知されると、そのディスク２００からディスク識別情報２１４が読み出され、そのディスク識別情報２１４に基づいて保留コンテンツ管理テーブル５３０が検索される。すなわち、ディスク識別情報２１４により識別されるディスクを記録先ディスクとする保留コンテンツが保留コンテンツ記憶部５４０に記憶されているか否かが判断される（ステップＳ９６０）。そして、保留コンテンツが記憶されていると判断された場合には、記録先ディスクへの記録を確認する図１０のような表示が表示部１９１になされる（ステップＳ９６４）。
【００９７】
一方、ステップＳ９６０において、保留コンテンツが記憶されていないと判断されると、装着されているディスクのディスク識別情報２１４がネットワーク接続部１８０を介して他のディスク管理装置に通知される（ステップＳ９６１）。これにより、装着されているディスクを記録先とする保留コンテンツが他のディスク管理装置において検出されると（ステップＳ９６２）、当該他のディスク管理装置に対して保留コンテンツの送信要求が送信される（ステップＳ９６３）。そして、表示部１９１には他のディスク管理装置に保持されている保留コンテンツを記録先ディスクへ記録することの確認表示がなされる（ステップＳ９６４）。
【００９８】
そして、ステップＳ９６４において、保留コンテンツを直ちに記録先ディスクに記録する旨の確認がなされると（ステップＳ９６５）、保留コンテンツが記録先ディスクに記録される（ステップＳ９６６）。また、この記録されたコンテンツに関する属性情報は、属性情報５２２としてディスク識別情報５２１とともにコンテンツ管理テーブル５２０に記録される（ステップＳ９６７）。さらに、このコンテンツ管理テーブル５２０に記録された内容は、ネットワーク接続部１８０を介して他のディスク管理装置に通知される（ステップＳ９６８）。これにより、ネットワーク上のディスク管理装置におけるコンテンツ管理テーブル５２０の内容が互いに一致するよう制御される。
【００９９】
また、記録先ディスクへの記録が完了した場合、または、ディスクへの記録をせずにコンテンツを破棄することが確認された場合には、保留コンテンツ管理テーブル５３０から該当する保留コンテンツに関する保留情報が削除される（ステップＳ９６９）。
【０１００】
なお、ステップＳ９６５において、後で記録する旨の確認がなされた場合には、これらステップＳ９６６乃至９６９の処理は保留され、所定のタイミングで実行される。このタイミングとしては上述のように、例えば、ＥＰＧを利用する場合には番組予約の入っていない時間帯を選択でき、また、携帯型ディスク管理装置の場合にはバッテリー充電の際に記録を開始することが考えられる。
【０１０１】
このように、本発明の実施の形態の変形例によれば、ディスク管理装置をネットワーク接続部１８０によって互いにネットワーク８００に接続することにより、他のディスク管理装置に装着されているディスクや保留コンテンツ記憶部５４０を利用することができるようになる。
【０１０２】
なお、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【０１０３】
すなわち、請求項１において、第１の領域は例えば識別情報領域２１２における記録済フラグ２１３に対応する。また、記録済情報は例えば記録済フラグに対応する。また、記録媒体読出し手段は例えばディスク読出し部１３０に対応する。また、識別情報供給手段は例えば機器情報レジスタ１６０、付番カウンタ１７０、または、指示入力部１９２に対応する。また、第２の領域は例えば識別情報領域２１２におけるディスク識別情報２１４に対応する。また、記録媒体書込み手段は例えばディスク書込み部１４０に対応する。また、管理情報保持手段は例えばコンテンツ管理テーブル５２０に対応する。また、第３の領域は例えばデータ領域２２０に対応する。また、管理情報は例えばコンテンツ管理テーブル５２０におけるディスク識別情報５２１と属性情報５２２との対に対応する。
【０１０４】
また、請求項２において、装置情報保持手段は例えば機器情報レジスタ１６０に対応する。また、計数手段は例えば付番カウンタ１７０に対応する。
【０１０５】
また、請求項３において、文字列入力手段は例えば指示入力部１９２に対応する。
【０１０６】
また、請求項４において、インデックスファイルは例えばインデックスファイル３１０に対応する。
【０１０７】
また、請求項５において、メニュー生成手段は例えばメニュー生成部１５０に対応する。
【０１０８】
また、請求項６において、文字列入力手段は例えば指示入力部１９２に対応する。また、名称変換情報保持手段は例えばディスク名変換テーブル５１０に対応する。また、名称変換情報は例えばディスク名変換テーブル５１０におけるディスク識別情報５１１とディスク名５１２との対に対応する。
【０１０９】
また、請求項７において、指示入力手段は例えば指示入力部１９２に対応する。
【０１１０】
また、請求項８において、ネットワーク接続手段は例えばネットワーク接続部１８０に対応する。
【０１１１】
また、請求項９において、コンテンツ供給手段は例えばコンテンツ入力部１９３に対応する。また、保留コンテンツ記憶手段は例えば保留コンテンツ記憶部５４０に対応する。また、保留情報保持手段は例えば保留コンテンツ管理テーブル５３０に対応する。また、保留情報は例えば保留コンテンツ管理テーブル５３０におけるディスク識別情報５３１と属性情報５３２およびコンテンツ格納情報５３６との対に対応する。
【０１１２】
また、請求項１２および１６において、管理情報保持手段は例えばコンテンツ管理テーブル５２０に対応する。また、記録媒体上の第１の領域から記録済情報を読み出す手順は例えばステップＳ９０１に対応する。また、第２の領域が記録済でないことを記録済情報が示している場合には識別情報の供給を受ける手順は例えばステップＳ９０３に対応する。また、供給された識別情報を第２の領域に書き込むとともに第２の領域が記録済であることを示す記録済情報を第１の領域に書き込む手順は例えばステップＳ９０４およびＳ９０５に対応する。また、第２の領域が記録済であることを記録済情報が示している場合には第２の領域から識別情報を読み出すとともに記録媒体上の第３の領域から属性情報を読み出して管理情報保持手段における管理情報を更新する手順は例えばディスク読出し部１３０における処理に対応する。
【０１１３】
また、請求項１３および１７において、管理情報保持手段は例えばコンテンツ管理テーブル５２０に対応する。また、保留コンテンツ記憶手段は例えば保留コンテンツ記憶部５４０に対応する。また、保留情報保持手段は例えば保留コンテンツ管理テーブル５３０に対応する。また、記録媒体上の第１の領域から記録済情報を読み出す手順はステップＳ９０１に対応する。また、第２の領域が記録済でないことを記録済情報が示している場合には識別情報の供給を受ける手順は例えばステップＳ９０３に対応する。また、供給された識別情報を第２の領域に書き込むとともに第２の領域が記録済であることを示す記録済情報を第１の領域に書き込む手順は例えばステップＳ９０４およびＳ９０５に対応する。また、指定された記録媒体へのコンテンツの記録指示を受ける手順はステップＳ９２１に対応する。また、指定された記録媒体が装着されていない場合に記録指示されたコンテンツを保留コンテンツ記憶手段に保持させるとともに保留情報保持手段における保留情報を更新する手順は例えばステップＳ９２３およびＳ９２５に対応する。
【０１１４】
また、請求項１４において、装着された記録媒体の第２の領域から識別情報を読み出す手順および読み出された識別情報を含む保留情報を保留情報保持手段から検出する手順は例えばステップＳ９３０に対応する。また、検出された保留情報に含まれる属性情報に基づいて保留コンテンツ記憶手段に保持される保留コンテンツを記録媒体に記録するとともに管理情報保持手段における管理情報を更新する手順は例えばステップＳ９３６およびＳ９３７に対応する。
【０１１５】
また、請求項１５において、装着された記録媒体の第２の領域から識別情報を読み出す手順は例えばステップＳ９６０に対応する。また、他の記録媒体管理装置に対して第２の領域から読み出された識別情報を含む保留情報を保持しているか否かを問い合わせる手順は例えばステップＳ９６１に対応する。また、他の記録媒体管理装置に保留情報が保持されていれば保留情報に関する保留コンテンツの送信を他の記録媒体管理装置に要求する手順は例えばステップＳ９６２およびＳ９６３に対応する。また、他の記録媒体管理装置から送信された保留コンテンツを装着された記録媒体に記録するとともに管理情報保持手段における管理情報を更新する手順は例えばステップＳ９６６およびＳ９６７に対応する。
【０１１６】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【産業上の利用可能性】
【０１１７】
本発明の活用例として、例えばディスク上に記録された各コンテンツの管理を統一的に行う際に本発明を適用することができる。
【図面の簡単な説明】
【０１１８】
【図１】本発明の実施の形態におけるディスク管理装置１００の一構成例を示す図である。
【図２】本発明の実施の形態におけるディスク２００のデータ構造の一例を示す図である。
【図３】本発明の実施の形態におけるディスク識別情報２１４の構成例を示す図である。
【図４】本発明の実施の形態におけるディスク名変換テーブル５１０の構成例を示す図である。
【図５】本発明の実施の形態におけるインデックスファイル３１０の構成例を示す図である。
【図６】本発明の実施の形態におけるコンテンツ管理テーブル５２０の構成例を示す図である。
【図７】本発明の実施の形態におけるメニュー生成部１５０によるメニュー表示の一例を示す図である。
【図８】本発明の実施の形態における保留コンテンツ管理テーブル５３０の構成例を示す図である。
【図９】本発明の実施の形態における記録先ディスクの指定を促す画面の表示例を示す図である。
【図１０】本発明の実施の形態における保留コンテンツのディスクへの記録を確認する画面の表示例を示す図である。
【図１１】本発明の実施の形態におけるディスク識別情報の付与手順の一例を示す図である。
【図１２】本発明の実施の形態におけるコンテンツ再生指示に対する処理手順の一例を示す図である。
【図１３】本発明の実施の形態におけるコンテンツ記録指示に対する処理手順の一例を示す図である。
【図１４】本発明の実施の形態における保留コンテンツの記録手順の一例を示す図である。
【図１５】本発明の実施の形態におけるディスク管理装置１００の他の構成例を示す図である。
【図１６】本発明の実施の形態におけるディスク管理装置１００の他の構成例によるシステム構成例を示す図である。
【図１７】本発明の実施の形態の変形例におけるコンテンツ再生指示に対する処理手順の一例を示す図である。
【図１８】本発明の実施の形態の変形例におけるコンテンツ記録指示に対する処理手順の一例を示す図である。
【図１９】本発明の実施の形態の変形例における保留コンテンツの記録手順の一例を示す図である。
【符号の説明】
【０１１９】
１００〜１０３  ディスク管理装置
１１０  ディスク制御部
１２０  ディスク装着検知部
１３０  ディスク読出し部
１４０  ディスク書込み部
１５０  メニュー生成部
１６０  機器情報レジスタ
１７０  付番カウンタ
１８０  ネットワーク接続部
１９０  入出力制御部
１９１  表示部
１９２  指示入力部
１９３  コンテンツ入力部
２００  ディスク
２１０  リードイン領域
２１１  欠陥管理領域
２１２  識別情報領域
２１３  記録済フラグ
２１４  ディスク識別情報
２１９  電力制御用領域
２２０  データ領域
２２１  ユーザデータ領域
２３０  リードアウト領域
２３１  欠陥管理領域
２３２  識別情報領域
３１０  インデックスファイル
５１０  ディスク名変換テーブル
５２０  コンテンツ管理テーブル
５３０  保留コンテンツ管理テーブル
５４０  保留コンテンツ記憶部
８００  ネットワーク
【図１】
2005108377.tif 000003
【図２】
2005108377.tif 000004
【図３】
2005108377.tif 000005
【図４】
2005108377.tif 000006
【図５】
2005108377.tif 000007
【図６】
2005108377.tif 000008
【図７】
2005108377.tif 000009
【図８】
2005108377.tif 000010
【図９】
2005108377.tif 000011
【図１０】
2005108377.tif 000012
【図１１】
2005108377.tif 000013
【図１２】
2005108377.tif 000014
【図１３】
2005108377.tif 000015
【図１４】
2005108377.tif 000016
【図１５】
2005108377.tif 000017
【図１６】
2005108377.tif 000018
【図１７】
2005108377.tif 000019
【図１８】
2005108377.tif 000020
【図１９】
2005108377.tif 000021
【手続補正書】
【提出日】平成16年9月22日(2004.9.22)
【手続補正１】
【補正対象書類名】明細書
【補正対象項目名】００８７
【補正方法】変更
【補正の内容】
【００８７】
また、ディスク識別情報「１０１２」のディスクがディスク管理装置１０２に装着されている状態で、ディスク管理装置１０１において題名「結婚式」のコンテンツの再生指示がなされると、そのコンテンツのディスク識別情報「１０１２」は他のディスク管理装置に通知される。すると、ディスク管理装置１０２は、装着されているディスクからディスク識別情報「１０１２」を検出するため、このコンテンツの存在をディスク管理装置１０１に伝える。これにより、ディスク管理装置１０１には、「コンテンツ「結婚式」を含むディスクは、ディスク管理装置１０２に装着されています。」といった趣旨の表示が行われる。すなわち、利用者はディスクの所在確認を容易に行うことができる。